(57)【要約】【課題】ユーザがＭＮＰにて移行を行う際に、コンテンツ配信事業者において登録されているユーザに対するコンテンツ配信に関する情報の移行処理を容易にすることを可能とする。【解決手段】フロントエンドサーバ装置２０において、ウェブ処理部１１は、移行前携帯電話端末７０からＵＩＤを含むサービス移行要求を受信する。バックエンドサーバ装置２０のＩＤ生成部２１は、サービス移行要求を受信した場合、一意に識別可能な移行ＩＤを生成する。コード生成部１３は、移行ＩＤとフロントエンドサーバ装置２０の接続先の情報とを含むＵＲＬを生成し、生成したＵＲＬを含む２次元コードを生成し、生成した２次元コード移行前携帯電話端末７０に送信する。ウェブ処理部１１は、移行後携帯電話端末８０からの接続を検出する。移行処理部１５は、移行前携帯電話端末７０に提供していたサービスに関する情報を、移行跡携帯電話端末８０に対して移行する。【選択図】図１
2008067098.tif 000002
【特許請求の範囲】
【請求項１】
識別可能な識別情報が付与され、内部に記憶する所定コードを画面に表示する第１の端末装置と、前記第１の端末装置の画面に表示される所定コードを撮影し撮影した所定コードから参照情報を検出する第２の端末装置と、ネットワークを通じて端末装置にサービスを提供するサーバ装置とを備えたサービス提供システムにおけるサーバ装置であって、
前記サービスを提供している前記第１の端末装置から識別情報を含むサービス移行要求を受信する受信手段と、
前記受信手段が前記サービス移行要求を受信した場合、一意に識別可能な移行識別情報を生成する移行識別情報生成手段と、
前記移行識別情報生成手段が生成した移行識別情報と前記ネットワークにおける接続先の情報とを含む参照情報を生成し、生成した参照情報を含む所定コードを生成し、生成した所定コードを前記第１の端末装置に送信して前記第１の端末装置の内部に記憶させるコード生成手段と、
前記第２の端末装置が前記第１の端末装置の画面に表示される前記所定コードを撮影して検出する参照情報への前記第２の端末装置の接続を検出する接続検出手段と、
前記接続検出手段が接続を検出した場合、前記第１の端末装置に提供していたサービスに関する情報を、前記参照情報に含まれる移行識別情報に基づいて前記接続検出手段が接続を検出した第２の端末装置に対して移行する移行処理手段と、
を備えたことを特徴とするサーバ装置。
【請求項２】
前記第１の端末装置に提供しているサービスに関するサービス情報を、前記第１の端末装置の識別情報に対応付けて記憶するサービス情報記憶手段と、
前記第１の端末装置から前記第２の端末装置へのサービスの移行を行う場合に、移行対象のサービス情報を記憶する移行サービス情報記憶手段と、
前記受信手段が前記サービス移行要求を受信した場合、前記サービス移行要求に含まれる識別情報に基づいて前記サービス情報記憶手段から前記第１の端末装置のサービス情報を読み出し、読み出したサービス情報を前記移行識別情報生成手段が生成した移行識別情報に対応付けて前記移行サービス情報記憶手段に記録する記録手段と、を備え、
前記移行処理手段は、
前記接続検出手段が接続を検出した場合、前記第２の端末装置に対応する領域を前記サービス情報記憶手段に割り当て、当該参照情報に含まれる移行識別情報に対応するサービス情報を前記移行サービス情報記憶手段から読み出し、読み出したサービス情報を割り当てた前記サービス情報記憶手段の領域に記録する
ことを特徴とする請求項１に記載のサーバ装置。
【請求項３】
前記コード生成手段は、
前記第１の端末装置に対してパスワード情報の入力を要求し、前記第１の端末装置から送信されるパスワード情報をパスワード記憶手段に記憶させ、
前記移行処理手段は、
前記接続検出手段が前記第２の端末装置の接続を検出した際、前記第２の端末装置に対してパスワード情報の入力を要求し、前記第２の端末装置から送信されるパスワード情報が前記パスワード記憶手段に記憶されるパスワード情報を一致する場合、前記第１の端末装置に提供していたサービスに関する情報を、前記参照情報に含まれる移行識別情報に基づいて前記接続検出手段が接続を検出した第２の端末装置に対して移行する
ことを特徴とする請求項１に記載のサーバ装置。
【請求項４】
識別可能な識別情報が付与され、内部に記憶する所定コードを画面に表示する第１の端末装置と、前記第１の端末装置の画面に表示される所定コードを撮影し撮影した所定コードから参照情報を検出する第２の端末装置と、ネットワークを通じて端末装置にサービスを提供するサーバ装置とを備えたサービス提供システムであって、
前記第１の端末装置は、
前記サーバ装置に識別情報を含むサービス移行要求を送信する手段と、
前記サーバ装置から送信される前記所定コードを内部の記憶手段に記憶させる手段と、
ユーザの操作を受けて前記内部の記憶手段に記憶される前記所定コードを画面に表示する手段と、を備え、
前記第２の端末装置は、
ユーザの操作を受けて前記第１の端末装置の画面に表示される前記所定コードを撮影し撮影した所定コードから参照情報を検出する手段と、
検出した参照情報に基づいて前記サーバ装置に接続する手段と、を備え、
前記サーバ装置は、
前記第１の端末装置から前記サービス移行要求を受信する受信手段と、
前記受信手段が前記サービス移行要求を受信した場合、一意に識別可能な移行識別情報を生成する移行識別情報生成手段と、
前記移行識別情報生成手段が生成した移行識別情報と前記ネットワークにおける接続先の情報とを含む参照情報を生成し、生成した参照情報を含む所定コードを生成し、生成した所定コードを前記第１の端末装置に送信するコード生成手段と、
前記参照情報への前記第２の端末装置の接続を検出する接続検出手段と、
前記接続検出手段が接続を検出した場合、前記第１の端末装置に提供していたサービスに関する情報を、前記参照情報に含まれる移行識別情報に基づいて前記接続検出手段が接続を検出した第２の端末装置に対して移行する移行処理手段と、
を備えたことを特徴とするサービス提供システム。
【請求項５】
識別可能な識別情報が付与され、内部に記憶する所定コードを画面に表示する第１の端末装置と、前記第１の端末装置の画面に表示される所定コードを撮影し撮影した所定コードから参照情報を検出する第２の端末装置と、ネットワークを通じて端末装置にサービスを提供するサーバ装置とを備えたサービス提供システムにおけるサービス移行方法であって、
前記第１の端末装置が、前記サーバ装置に識別情報を含むサービス移行要求を送信ステップと、
前記サーバ装置が、前記第１の端末装置から前記サービス移行要求を受信するステップと、
前記サーバ装置が、前記サービス移行要求を受信した場合、一意に識別可能な移行識別情報を生成するステップと、
前記サーバ装置が、生成した移行識別情報と前記ネットワークにおける接続先の情報とを含む参照情報を生成し、生成した参照情報を含む所定コードを生成するステップと、
生成した所定コードを前記第１の端末装置に送信するステップと、
前記第１の端末装置が、前記サーバ装置から送信される前記所定コードを内部の記憶手段に記憶させるステップと、
前記第１の端末装置が、ユーザの操作を受けて前記内部の記憶手段に記憶される前記所定コードを画面に表示するステップと、
前記第２の端末装置が、ユーザの操作を受けて前記第１の端末装置の画面に表示される前記所定コードを撮影し撮影した所定コードから参照情報を検出するステップと、
前記第２の端末装置が、検出した参照情報に基づいて前記サーバ装置に接続するステップと、
前記サーバ装置が、前記参照情報への前記第２の端末装置の接続を検出するステップと、
前記サーバ装置が、接続を検出した場合、前記第１の端末装置に提供していたサービスに関する情報を、前記参照情報に含まれる移行識別情報に基づいて前記接続検出手段が接続を検出した第２の端末装置に対して移行するステップと、
を含むことを特徴とするサービス移行方法。
【請求項６】
識別可能な識別情報が付与され、内部に記憶する所定コードを画面に表示する第１の端末装置と、前記第１の端末装置の画面に表示される所定コードを撮影し撮影した所定コードから参照情報を検出する第２の端末装置と、ネットワークを通じて端末装置にサービスを提供するサーバ装置とを備えたサービス提供システムにおけるサーバ装置のコンピュータに、
前記サービスを提供している前記第１の端末装置から識別情報を含むサービス移行要求を受信する手順と、
前記サービス移行要求を受信した場合、一意に識別可能な移行識別情報を生成する手順と、
生成した移行識別情報と前記ネットワークにおける接続先の情報とを含む参照情報を生成する手順と、
生成した参照情報を含む所定コードを生成する手順と、
生成した所定コードを前記第１の端末装置に送信して前記第１の端末装置の内部に記憶させる手順と、
前記第２の端末装置が前記第１の端末装置の画面に表示される前記所定コードを撮影して検出する参照情報への前記第２の端末装置の接続を検出する手順と、
接続を検出した場合、前記第１の端末装置に提供していたサービスに関する情報を、前記参照情報に含まれる移行識別情報に基づいて前記接続検出手段が接続を検出した第２の端末装置に対して移行する手順と、
を実行させるためのサービス移行プログラム。
【発明の詳細な説明】
【技術分野】
【０００１】
本発明は、モバイルナンバーポータビリティの導入により端末装置の移行が発生した場合に、移行前の端末装置に提供していたサービスを移行後の端末装置に移行するサーバ装置、サービス提供システム、サービス移行方法、及びサービス移行プログラムに関する。
【背景技術】
【０００２】
モバイルナンバーポータビリティ（ＭＮＰ：Mobile Number Portability）が導入されることにより、ユーザは、電話番号を変更することなく、携帯電話端末の通信事業者を変更することが可能となる。一方、携帯電話端末に対しては、携帯電話端末のユーザがコンテンツ配信事業者と契約して会員となり、コンテンツ配信事業者のコンテンツ配信サーバ装置から着信メロディなどのコンテンツを携帯電話端末にダウンロードするといったサービスも提供されている。
【０００３】
このようなコンテンツ配信事業者によるサービスは、携帯電話端末に対して通信サービスを提供する通信事業者の種別に応じて行われている。従って、ＭＮＰにより通信事業者が変更されると、ユーザは、移行前の通信事業者に応じてコンテンツ配信事業者と締結していた契約を解約し、改めて移行後の通信事業者に応じた契約をコンテンツ配信事業者と締結する必要があった。
【０００４】
ところで、特許文献１に示されるようにコンテンツ配信サーバ装置では、ユーザごとに管理が必要なコンテンツ配信に関するデータは複数存在する。また、特許文献１に示されるデータ以外にも、ダウンロードごとにユーザに付与されるポイント等のデータも存在する。そのため、移行前の携帯電話端末においてコンテンツ配信サーバ装置にて会員に対するコンテンツ配信に関する情報として記憶されている情報も、通信事業者の移行に合わせて、移行後の携帯電話端末に移行させることが求められている。これらのデータを移行するためには、例えば、以下のような手順が必要とされていた。すなわち、まず、ＭＮＰによる通信事業者の移行前にユーザに幾つかの移行に関するデータを通知しておく。次に、ユーザのＭＮＰによる通信事業者の移行後に、コンテンツ配信事業者との間で契約の切り替えが行われ、ユーザが移行前に通知されたデータを携帯電話端末を通じて入力する。そして、当該入力に基づいてコンテンツ配信サーバ装置においてコンテンツ配信に関するデータの移行を行うといった手順である。
【特許文献１】特開２００５−１３４７３０号公報
【発明の開示】
【発明が解決しようとする課題】
【０００５】
しかしながら、上述した手順では、移行前にユーザに通知する情報は、一般的にユーザのＩＤ等の記号や文字で表される情報であり、ユーザは、これらの情報を控えておき、移行後に手に入れた携帯電話端末を操作して１つずつ入力しなければならないという問題があった。
【０００６】
本発明は、上記問題を解決すべくなされたもので、その目的は、ユーザがＭＮＰにて移行を行う際に、コンテンツ配信事業者において登録されているユーザに対するコンテンツ配信に関する情報の移行処理を容易にすることを可能とするサーバ装置、サービス提供システム、サービス移行方法、及びサービス移行プログラムを提供することにある。
【課題を解決するための手段】
【０００７】
上記問題を解決するために、本発明は、識別可能な識別情報が付与され、内部に記憶する所定コードを画面に表示する第１の端末装置と、前記第１の端末装置の画面に表示される所定コードを撮影し撮影した所定コードから参照情報を検出する第２の端末装置と、ネットワークを通じて端末装置にサービスを提供するサーバ装置とを備えたサービス提供システムにおけるサーバ装置であって、前記サービスを提供している前記第１の端末装置から識別情報を含むサービス移行要求を受信する受信手段と、前記受信手段が前記サービス移行要求を受信した場合、一意に識別可能な移行識別情報を生成する移行識別情報生成手段と、前記移行識別情報生成手段が生成した移行識別情報と前記ネットワークにおける接続先の情報とを含む参照情報を生成し、生成した参照情報を含む所定コードを生成し、生成した所定コードを前記第１の端末装置に送信して前記第１の端末装置の内部に記憶させるコード生成手段と、前記第２の端末装置が前記第１の端末装置の画面に表示される前記所定コードを撮影して検出する参照情報への前記第２の端末装置の接続を検出する接続検出手段と、前記接続検出手段が接続を検出した場合、前記第１の端末装置に提供していたサービスに関する情報を、前記参照情報に含まれる移行識別情報に基づいて前記接続検出手段が接続を検出した第２の端末装置に対して移行する移行処理手段と、を備えたことを特徴とするサーバ装置である。
【０００８】
また、本発明は、上記に記載の発明において、前記第１の端末装置に提供しているサービスに関するサービス情報を、前記第１の端末装置の識別情報に対応付けて記憶するサービス情報記憶手段と、前記第１の端末装置から前記第２の端末装置へのサービスの移行を行う場合に、移行対象のサービス情報を記憶する移行サービス情報記憶手段と、前記受信手段が前記サービス移行要求を受信した場合、前記サービス移行要求に含まれる識別情報に基づいて前記サービス情報記憶手段から前記第１の端末装置のサービス情報を読み出し、読み出したサービス情報を前記移行識別情報生成手段が生成した移行識別情報に対応付けて前記移行サービス情報記憶手段に記録する記録手段と、を備え、前記移行処理手段は、前記接続検出手段が接続を検出した場合、前記第２の端末装置に対応する領域を前記サービス情報記憶手段に割り当て、当該参照情報に含まれる移行識別情報に対応するサービス情報を前記移行サービス情報記憶手段から読み出し、読み出したサービス情報を割り当てた前記サービス情報記憶手段の領域に記録することを特徴とする。
【０００９】
また、本発明は、上記に記載の発明において、前記コード生成手段は、前記第１の端末装置に対してパスワード情報の入力を要求し、前記第１の端末装置から送信されるパスワード情報をパスワード記憶手段に記憶させ、前記移行処理手段は、前記接続検出手段が前記第２の端末装置の接続を検出した際、前記第２の端末装置に対してパスワード情報の入力を要求し、前記第２の端末装置から送信されるパスワード情報が前記パスワード記憶手段に記憶されるパスワード情報を一致する場合、前記第１の端末装置に提供していたサービスに関する情報を、前記参照情報に含まれる移行識別情報に基づいて前記接続検出手段が接続を検出した第２の端末装置に対して移行することを特徴とする。
【００１０】
また、本発明は、識別可能な識別情報が付与され、内部に記憶する所定コードを画面に表示する第１の端末装置と、前記第１の端末装置の画面に表示される所定コードを撮影し撮影した所定コードから参照情報を検出する第２の端末装置と、ネットワークを通じて端末装置にサービスを提供するサーバ装置とを備えたサービス提供システムであって、前記第１の端末装置は、前記サーバ装置に識別情報を含むサービス移行要求を送信する手段と、前記サーバ装置から送信される前記所定コードを内部の記憶手段に記憶させる手段と、ユーザの操作を受けて前記内部の記憶手段に記憶される前記所定コードを画面に表示する手段と、を備え、前記第２の端末装置は、ユーザの操作を受けて前記第１の端末装置の画面に表示される前記所定コードを撮影し撮影した所定コードから参照情報を検出する手段と、検出した参照情報に基づいて前記サーバ装置に接続する手段と、を備え、前記サーバ装置は、前記第１の端末装置から前記サービス移行要求を受信する受信手段と、前記受信手段が前記サービス移行要求を受信した場合、一意に識別可能な移行識別情報を生成する移行識別情報生成手段と、前記移行識別情報生成手段が生成した移行識別情報と前記ネットワークにおける接続先の情報とを含む参照情報を生成し、生成した参照情報を含む所定コードを生成し、生成した所定コードを前記第１の端末装置に送信するコード生成手段と、前記参照情報への前記第２の端末装置の接続を検出する接続検出手段と、前記接続検出手段が接続を検出した場合、前記第１の端末装置に提供していたサービスに関する情報を、前記参照情報に含まれる移行識別情報に基づいて前記接続検出手段が接続を検出した第２の端末装置に対して移行する移行処理手段と、を備えたことを特徴とするサービス提供システムである。
【００１１】
また、本発明は、識別可能な識別情報が付与され、内部に記憶する所定コードを画面に表示する第１の端末装置と、前記第１の端末装置の画面に表示される所定コードを撮影し撮影した所定コードから参照情報を検出する第２の端末装置と、ネットワークを通じて端末装置にサービスを提供するサーバ装置とを備えたサービス提供システムにおけるサービス移行方法であって、前記第１の端末装置が、前記サーバ装置に識別情報を含むサービス移行要求を送信ステップと、前記サーバ装置が、前記第１の端末装置から前記サービス移行要求を受信するステップと、前記サーバ装置が、前記サービス移行要求を受信した場合、一意に識別可能な移行識別情報を生成するステップと、前記サーバ装置が、生成した移行識別情報と前記ネットワークにおける接続先の情報とを含む参照情報を生成し、生成した参照情報を含む所定コードを生成するステップと、生成した所定コードを前記第１の端末装置に送信するステップと、前記第１の端末装置が、前記サーバ装置から送信される前記所定コードを内部の記憶手段に記憶させるステップと、前記第１の端末装置が、ユーザの操作を受けて前記内部の記憶手段に記憶される前記所定コードを画面に表示するステップと、前記第２の端末装置が、ユーザの操作を受けて前記第１の端末装置の画面に表示される前記所定コードを撮影し撮影した所定コードから参照情報を検出するステップと、前記第２の端末装置が、検出した参照情報に基づいて前記サーバ装置に接続するステップと、前記サーバ装置が、前記参照情報への前記第２の端末装置の接続を検出するステップと、前記サーバ装置が、接続を検出した場合、前記第１の端末装置に提供していたサービスに関する情報を、前記参照情報に含まれる移行識別情報に基づいて前記接続検出手段が接続を検出した第２の端末装置に対して移行するステップと、を含むことを特徴とするサービス移行方法である。
【００１２】
また、本発明は、識別可能な識別情報が付与され、内部に記憶する所定コードを画面に表示する第１の端末装置と、前記第１の端末装置の画面に表示される所定コードを撮影し撮影した所定コードから参照情報を検出する第２の端末装置と、ネットワークを通じて端末装置にサービスを提供するサーバ装置とを備えたサービス提供システムにおけるサーバ装置のコンピュータに、前記サービスを提供している前記第１の端末装置から識別情報を含むサービス移行要求を受信する手順と、前記サービス移行要求を受信した場合、一意に識別可能な移行識別情報を生成する手順と、生成した移行識別情報と前記ネットワークにおける接続先の情報とを含む参照情報を生成する手順と、生成した参照情報を含む所定コードを生成する手順と、生成した所定コードを前記第１の端末装置に送信して前記第１の端末装置の内部に記憶させる手順と、前記第２の端末装置が前記第１の端末装置の画面に表示される前記所定コードを撮影して検出する参照情報への前記第２の端末装置の接続を検出する手順と、接続を検出した場合、前記第１の端末装置に提供していたサービスに関する情報を、前記参照情報に含まれる移行識別情報に基づいて前記接続検出手段が接続を検出した第２の端末装置に対して移行する手順と、を実行させるためのサービス移行プログラムである。
【発明の効果】
【００１３】
この発明によれば、ユーザがＭＮＰにて移行を行う際に、コンテンツ配信事業者のサーバ装置から通知される情報をユーザが控えておき、移行後に手に入れた携帯電話端末を操作して１つずつ入力することなく、コンテンツ配信事業者において登録されているユーザに対するコンテンツ配信に関する情報の移行処理を容易にすることが可能となる。
【発明を実施するための最良の形態】
【００１４】
以下、本発明の実施形態を図面を参照して説明する。
図１は、本実施形態によるサービス提供システム１を示す概略ブロック図である。
【００１５】
サービス提供システム１おいて、フロントエンドサーバ装置１０、バックエンドサーバ装置２０、ユーザ情報管理サーバ装置３０、コンテンツサーバ装置４０Ａ、４０Ｂ、…は、携帯電話端末に対して、例えば着信メロディ等のコンテンツの配信等のサービスの提供を行うコンテンツ配信事業者により利用されるものである。ここで、サービス提供システム１における移行処理とは、上述したＭＮＰにより通信事業者が変更された場合に、移行前携帯電話端末７０において利用されていたコンテンツ配信サービスに関するサービス情報を、移行後携帯電話端末８０に移行する処理である。すなわち、移行前携帯電話端末７０との間では、コンテンツサーバ装置４０Ａ、４０Ｂ、…に記憶されている移行前携帯電話端末７０に対するサービス情報をバックエンドサーバ装置２０に保存する処理（セーブ処理）が行われ、移行後携帯電話端末８０との間では、バックエンドサーバ装置２０に保存されているサービス情報を再度、コンテンツサーバ装置４０Ａ、４０Ｂ、…に移行後携帯電話端末８０に対するサービス情報として登録する処理（ロード処理）が行われる構成となっている。
【００１６】
サービス提供システム１において、移行前携帯電話端末７０は、一意に識別可能なＵＩＤ(User IDentifier)が通信事業者により付与されており、ネットワーク１００を通じてＱＲコード（登録商標）などの２次元コードのデータを受信して内部の記憶領域に記憶し、さらに、ユーザの操作を受けて内部の記憶領域に記憶してある２次元コードを図１に示す画面７１のように表示する。
【００１７】
サービス提供システム１において、移行後携帯電話端末８０は、一意に識別可能なＵＩＤが通信事業者により付与されており、２次元コードを撮影、すなわち画面に表示するカメラを備えており、カメラにより撮影することで画面に表示される２次元コードから当該２次元コードに含まれる情報を検出する。また、移行後携帯電話端末８０は、検出した情報がＵＲＬ(Universal Resource Locator)の情報を含む場合に、ネットワーク１００を通じて当該情報が示すサーバ装置に接続する。
【００１８】
ここで、移行前携帯電話端末７０と移行後携帯電話端末８０は、例えば、同じユーザに所持され、ＭＮＰ制度による通信事業者の移転処理において、ＭＮＰの移転前と移転後の関係にあり、同じ電話番号を利用することが可能な携帯電話端末である。なお、以下の説明において、携帯電話端末と記載した場合には、移行前携帯電話端末７０、移行後携帯電話端末８０、及び当該コンテンツ配信事業者により提供されるコンテンツ配信を利用している携帯電話端末も含むものとする。
【００１９】
サービス提供システム１おいて、コンテンツサーバ装置４０Ａ、４０Ｂ、…は、ネットワーク１００を通じて、図示しない内部のコンテンツＤＢ（DataBase：データベース）に記憶されるコンテンツを携帯電話端末に配信を行うサーバ装置である。なお、コンテンツサーバ装置４０Ａ、４０Ｂ、…は、同じ内部構成を有しているため、ここでは、コンテンツサーバ装置４０Ａを例として内部構成を説明する。
【００２０】
コンテンツサーバ装置４０Ａにおいて、ウェブ処理部４１Ａは、ネットワーク１００を通じて移行前携帯電話端末７０及び移行後携帯電話端末８０からのコンテンツ配信要求を受信して、内部に備えるコンテンツＤＢから端末種別に適合したコンテンツの配信を行う。ＤＢ処理部４２Ａは、ウェブ処理部４１Ａ、フロントエンドサーバ装置１０、バックエンドサーバ装置２０からの要求を受信して、サービス情報ＤＢ４３Ａに記憶される情報の読み出しを行い、また、サービス情報ＤＢ４３Ａに情報の記録や削除を行う。
【００２１】
コンテンツサーバ装置４０Ａにおいて、サービス情報ＤＢ４３Ａは、図２に示すデータ構成を有している。サービス情報ＤＢ４３Ａは、「ユーザＩＤ」、「端末情報」、「サービス情報記憶領域」の項目を１組とするレコードとして構成されている。「ユーザＩＤ」には、通信事業者から各携帯電話端末に付与されるＵＩＤが記憶される。「端末情報」には、携帯電話端末の種別を示す情報が記憶される。「サービス情報記憶領域」には、サービス情報が記憶される。ここで、サービス情報とは、ユーザが過去にダウンロードしたコンテンツに関する情報、例えば、コンテンツが着信メロディである場合には、着信メロディの曲名や、当該楽曲のアーティスト名等を含むユーザごとの履歴情報や、ダウンロードの内容に応じてコンテンツ配信事業者から付与されるポイント情報の履歴情報などを含む情報である。
【００２２】
サービス提供システム１おいて、ユーザ情報管理サーバ装置３０は、コンテンツサーバ装置４０Ａ、４０Ｂ、…を利用している携帯電話端末のユーザに関する情報を管理するサーバ装置である。ユーザ情報管理サーバ装置３０において、ＤＢ処理部３１は、バックエンドサーバ装置２０からの要求を受信してユーザ情報ＤＢ３２に記憶されている情報を検索して読み出し、また、コンテンツサーバ装置４０Ａ、４０Ｂ、…からの要求を受信してユーザ情報ＤＢ３２に対して情報の記録を行う。
【００２３】
ユーザ情報管理サーバ装置３０において、ユーザ情報ＤＢ３２は、図３に示すデータ構成を有している。ユーザ情報ＤＢ３２は、「ユーザＩＤ」、「メールアドレス」、「コンテンツサーバ種別」、「契約状態」の項目を１組とするレコードとして構成されている。「ユーザＩＤ」には、上記した携帯電話端末ごとに通信事業者から付与されるＵＩＤが記憶される。「メールアドレス」には、携帯電話端末のユーザが、携帯電話端末に付与される電子メールアドレスをコンテンツ配信の契約時あるいは契約後に入力してユーザ情報管理サーバ装置３０に通知されている場合に、当該電子メールアドレスが記憶される。「コンテンツサーバ種別」には、サービス提供システム１が備えるコンテンツサーバ装置４０Ａ、４０Ｂ、…に予め付与される識別情報（以下、サーバ識別情報という）が記憶され、図３では、サーバ識別情報としてコンテンツサーバ装置４０Ａに付与されている「サーバＡ」、コンテンツサーバ装置４０Ｂに付与されている「サーバＢ」が記憶される例を示している。「契約状態」は、「コンテンツサーバ種別」に示されるサーバ識別情報に対応するコンテンツサーバ装置４０Ａ、４０Ｂ、…が提供するコンテンツ配信のサービスへの入会情報を示しており、入会している場合には、「入会」が記憶され、未入会あるいは退会した場合には、空欄（図３では「−」で示している。）とされる。
【００２４】
サービス提供システム１おいて、フロントエンドサーバ装置１０及びバックエンドサーバ装置２０は、移行前携帯電話端末７０にて利用されていたコンテンツサーバ装置４０Ａ、４０Ｂ、…にて記憶されているサービス情報を移行後携帯電話端末８０に移行するための処理を行うサーバ装置である。
【００２５】
フロントエンドサーバ装置１０において、ウェブ処理部１１は、ネットワーク１００を通じて移行前携帯電話端末７０や移行後携帯電話端末８０からのＨＴＴＰ（Hyper Text Transfer Protocol）の要求を受信して、要求に応じたウェブページの情報を移行前携帯電話端末７０や移行後携帯電話端末８０に送信して移行前携帯電話端末７０や移行後携帯電話端末８０の画面に表示させる。状態監視部１２は、バックエンドサーバ装置２０のＤＢ処理部２２における処理状態を検出する。コード生成部１３は、当該フロントエンドサーバ装置１０に予め付与されるＵＲＬに、バックエンドサーバ装置２０のＩＤ生成部２１により移行処理ごとに生成される移行ＩＤと、最初に登録処理が行われるいずれか１つのコンテンツサーバ装置４０Ａ、４０Ｂ、…のサーバ識別情報とを暗号化した情報を付加した構成のＵＲＬに基づいて２次元コードを生成する。コード情報記憶部１４は、コード生成部１３が２次元コードを生成する際に用いられる移行ＩＤと最初に登録処理が行われるいずれか１つのコンテンツサーバ装置４０Ａ、４０Ｂ、…のサーバ識別情報とを記憶する。移行処理部１５は、移行前携帯電話端末７０からの要求を受信してバックエンドサーバ装置２０に、移行するサービス情報の保存処理を実行させ、移行後携帯電話端末８０からの要求を受信してコンテンツサーバ装置４０Ａ、４０Ｂ、…及びバックエンドサーバ装置２０に登録処理を実行させる。
【００２６】
バックエンドサーバ装置２０において、ＩＤ生成部２１は、移行前携帯電話端末７０からの移行要求をフロントエンドサーバ装置１０が受信した場合に、当該移行処理を識別可能な移行ＩＤを生成する。ＤＢ処理部２２は、移行処理の保存処理では、フロントエンドサーバ装置１０からの要求を受信して、コンテンツサーバ装置のサービス情報ＤＢ４３Ａ、４３Ｂ、…に記憶されるサービス情報を移行サービス情報ＤＢ２３へ書き込み、移行処理の登録処理では、移行サービス情報ＤＢ２３に記憶されているサービス情報を、コンテンツサーバ装置のサービス情報ＤＢ４３Ａ、４３Ｂ、…に書込んで登録を行う。
【００２７】
バックエンドサーバ装置２０において、移行サービス情報ＤＢ２３は、図４に示すデータ構成を有している。移行サービス情報ＤＢ２３は、「移行ＩＤ」、「ユーザＩＤ」、「コンテンツサーバ種別」、「移行状態」、「移行サービス情報記憶領域」の項目を１組とするレコードとして構成されている。「移行ＩＤ」には、ＩＤ生成部２１により生成された移行ＩＤが記憶される。「ユーザＩＤ」には、フロントエンドサーバ装置１０に、移行要求の送信元の移行前携帯電話端末７０のＵＩＤが記憶される。「コンテンツサーバ種別」には、「ユーザＩＤ」のユーザが入会しているサービスを提供するコンテンツサーバ装置のサーバ識別情報が記憶される。「移行状態」には、移行後携帯電話端末８０からの要求に基づいて行う移行処理が完了している場合、「移行済」が記憶され、完了していない場合、「未移行」が記憶される。「移行サービス情報記憶領域」には、コンテンツサーバ装置４０Ａ、４０Ｂ、…のＤＢ処理部４２Ａ、４２Ｂ、…によりサービス情報ＤＢ４３Ａ、４３Ｂ、…から読み出されて送信されるサービス情報がＤＢ処理部２２により記録される。
【００２８】
次に、図５を参照しつつサービス提供システム１における移行処理の前段の処理であるサービス情報の保存処理について説明する。
【００２９】
最初に、ユーザが移行前携帯電話端末７０を操作して、フロントエンドサーバ装置に接続し、自端末のＵＩＤを含む移行要求を送信する（ステップＳａ１）。移行前携帯電話端末７０による移行要求の送信は、例えば、移行前携帯電話端末７０にて、フロントエンドサーバ装置１０のウェブページにて、所定のボタン等を選択することによりフロントエンドサーバ装置１０のウェブ処理部１１に送信される。移行要求を受信したフロントエンドサーバ装置１０のウェブ処理部１１は、ＨＴＴＰの応答として移行データ保存開始メッセージを移行前携帯電話端末７０に送信し、移行前携帯電話端末７０は、移行データ保存開始メッセージを受信して画面７２を表示する（ステップＳａ２）。移行要求を受信したフロントエンドサーバ装置１０のウェブ処理部１１は、移行要求に含まれていたＵＩＤを移行処理部１５に入力し、当該ＵＩＤの入力を受けた移行処理部１５は、ＵＩＤを含む保存処理要求をバックエンドサーバ装置２０に送信する（ステップＳａ３）。
【００３０】
保存処理要求を受信したバックエンドサーバ装置２０のＤＢ処理部２２は、状態を「保存中状態」へ遷移させる（ステップＳａ４）。ＤＢ処理部２２は、移行要求に含まれるＵＩＤに基づいて移行サービス情報ＤＢ２３を検索し、移行前携帯電話端末７０に対応するレコード、すなわち図４に示す「ユーザＩＤ」の項目に移行前携帯電話端末７０のＵＩＤの行が存在するか否かを判定する（ステップＳａ５）。移行前携帯電話端末７０に対応するレコードが存在しないと判定した場合（ステップＳａ５：Ｎｏ）、新たにレコードを生成するため、ＩＤ生成部２１が移行ＩＤを生成し、移行ＩＤと移行前携帯電話端末７０のＵＩＤとを対応付けたレコードを移行サービス情報ＤＢ２３に生成する（ステップＳａ６）。一方、移行前携帯電話端末７０に対応するレコードが存在する場合（ステップＳａ５：Ｙｅｓ）、当該レコードを利用して保存処理が行えるため次の処理に進む。
【００３１】
次に、バックエンドサーバ装置２０のＤＢ処理部２２は、移行前携帯電話端末７０のＵＩＤを含むコンテンツ入会状況取得要求をユーザ情報管理サーバ装置３０に送信する（ステップＳａ７）。コンテンツ入会状況取得要求を受信したユーザ情報管理サーバ装置３０のＤＢ処理部３１は、受信したコンテンツ入会状況取得要求に含まれるＵＩＤに基づいてユーザ情報ＤＢ３２の検索を行い、ユーザ情報ＤＢ３２の「ユーザＩＤ」の項目に、コンテンツ入会状況取得要求に含まれるＵＩＤが設定されているレコードの「コンテンツサーバ種別」の項目のサーバ識別情報と、当該項目に対応する「契約状態」の項目の情報を対応付けて読み出す。そして、ユーザ情報管理サーバ装置３０のＤＢ処理部３１は、読み出した情報を含むコンテンツ入会状況取得要求応答をバックエンドサーバ装置２０に送信する（ステップＳａ８）。
【００３２】
コンテンツ入会状況取得要求応答を受信したバックエンドサーバ装置２０のＤＢ処理部２２は、受信したコンテンツ入会状況取得要求応答に含まれる情報の中で「契約状態」の情報が「入会」となっている「コンテンツサーバ種別」のサーバ識別情報を、移行前携帯電話端末７０のＵＩＤと移行ＩＤに対応する移行サービス情報ＤＢ２３の「コンテンツサーバ種別」の項目に記録する（ステップＳａ９）。
【００３３】
次に、バックエンドサーバ装置２０のＤＢ処理部２２は、入会サイト数、すなわち移行サービス情報ＤＢ２３の「コンテンツサーバ種別」の項目に記憶されているサーバ識別情報の数に応じたステップＳａ１０からステップＳａ１２の処理を繰り返す（ループＬａ１ｓ）。
【００３４】
ここで、ループＬａ１ｓ〜Ｌａ１ｅにおける繰り返しの処理を説明するため、移行前携帯電話端末７０のＵＩＤを図４に示す「０００１」とし、当該保存処理においてＩＤ生成部２１により生成される移行ＩＤを図４に示す「ＡＢＡＢ」とする。そして、移行サービス情報ＤＢ２３の「コンテンツサーバ種別」には、図４に示されるようにサーバ識別情報として「サーバＡ」、「サーバＢ」、「サーバＣ」が記憶されているものとする。
【００３５】
まず、バックエンドサーバ装置２０のＤＢ処理部２２は、移行サービス情報ＤＢ２３から移行前携帯電話端末７０のＵＩＤと、当該保存処理において生成された移行ＩＤとに対応する「コンテンツサーバ種別」の項目の最初の行に記憶されているサーバ識別情報を読み出す。ここでは、「サーバＡ」を読み出すことになる。次に、ＤＢ処理部２２は、読み出した「サーバＡ」がコンテンツサーバ装置４０Ａに対応しているため、コンテンツサーバ装置４０Ａに対してＵＩＤ「０００１」を含むサービス情報取得要求を送信する（ステップＳａ１０）。サービス情報取得要求を受信したコンテツサーバ装置４０Ａは、サービス情報取得要求に含まれるＵＩＤ「０００１」に対応するサービス情報（サービス情報Ａ）をサービス情報ＤＢ４３Ａから読み出し、読み出したサービス情報（サービス情報Ａ）を含むサービス情報取得要求応答をバックエンドサーバ装置２０に送信する（ステップＳａ１１）。
【００３６】
サービス情報取得要求応答を受信したバックエンドサーバ装置２０のＤＢ処理部２２は、サービス情報取得要求応答に含まれるサービス情報（サービス情報Ａ）を移行サービス情報ＤＢ２３の「移行ＩＤ」が「ＡＢＡＢ」、「ＵＩＤ」が「０００１」、「コンテンツサーバ種別」が「サーバＡ」に対応する「移行サービス情報記憶領域」に記録する（ステップＳａ１２）。次に、ＤＢ処理部２２は、「コンテンツサーバ種別」の項目の次の行に記憶される「サーバＢ」に対応するコンテンツサーバ装置４０Ｂ、…に対してもステップＳａ１０からステップＳａ１２の処理を行う（ループＬａ１ｅ）。そして、ＤＢ処理部２２が、「コンテツサーバ種別」の項目の最後の情報に対応する処理を行うことで、「移行サービス情報記憶領域」には、移行前携帯電話端末７０のユーザが入会しているサービスに対応するサービス情報が記憶されることになる。
【００３７】
次に、ＤＢ処理部２２は、移行前携帯電話端末７０のＵＩＤを含むメールアドレス参照要求をユーザ情報管理サーバ装置３０に送信する（ステップＳａ１３）。メールアドレス参照要求を受信したユーザ情報管理サーバ装置３０のＤＢ処理部３１は、メールアドレス参照要求に含まれるＵＩＤに対応するユーザ情報ＤＢ３２の「メールアドレス」の項目を読み出し、読み出した情報を含むメールアドレス参照要求応答をバックエンドサーバ装置２０のＤＢ処理部２２に送信する（ステップＳａ１４）。
【００３８】
ＤＢ処理部２２は、メールアドレス参照要求に含まれている情報に電子メールアドレスが含まれているか否か、すなわちユーザにより予め電子メールアドレスが設定されているか否かを判定する（ステップＳａ１５）。メールアドレス参照要求に電子メールアドレスが含まれていると判定した場合、ＤＢ処理部２２は、当該電子メールアドレスを送信先として移行データ保存完了の電子メールを移行前携帯電話端末７０に送信し（ステップＳａ１６）、状態を「終了状態」へ遷移させて保存処理を終了する（ステップＳａ１７）。一方、メールアドレス参照要求に電子メールアドレスが含まれていないと判定した場合は、状態を「終了状態」へ遷移させて保存処理を終了する（ステップＳａ１７）。
【００３９】
一方、移行前携帯電話端末７０では、移行要求を送信した後にフロントエンドサーバ装置１０からのＨＴＴＰの応答を受信して画面７２を表示した後、保存処理の状態をユーザが確認する場合には、ユーザは、移行前携帯電話端末７０を操作して画面７２における「リロード」ボタンを選択する。当該ボタンの選択を検出した移行前携帯電話端末７０は、フロントエンドサーバ装置１０に再表示要求（リロード）を送信する（ステップＳａ２０）。
【００４０】
再表示要求を受信したフロントエンドサーバ装置１０のウェブ処理部１１は、状態監視部１２に状態情報の取得指示を入力し、当該入力を受けた状態監視部１２は、バックエンドサーバ装置２０のＤＢ処理部２２の状態情報を検出する（ステップＳａ２１）。状態監視部１２は、検出したバックエンドサーバ装置２０のＤＢ処理部２２の状態情報をウェブ処理部１１に入力する。ウェブ処理部１１は、状態監視部１２から入力された状態情報を判定する（ステップＳａ２２）。状態情報が「保存中状態」を示していると判定した場合、データ保存処理中のメッセージをＨＴＴＰの応答として移行前携帯電話端末７０に送信する。当該データ保存処理中のメッセージを受信した移行前携帯電話端末７０は画面７２を表示する（ステップＳａ２３）。既に、バックエンドサーバ装置２０にて、ステップＳａ１７までの処理が行われており状態情報が「終了状態」を示していると判定した場合、データ保存完了メッセージをＨＴＴＰの応答として移行前携帯電話端末７０に送信する（ステップＳａ２５）。
【００４１】
ユーザ情報管理サーバ装置３０のユーザ情報ＤＢ３２に移行前携帯電話端末７０の電子メールアドレスが設定されている場合、バックエンドサーバ装置２０からデータ保存完了メッセージを受信するまで待機していればよい。すなわち、電子メールアドレスが設定されている場合、移行前携帯電話端末７０は、バックエンドサーバ装置２０から移行データ保存完了の電子メールを受信する（ステップＳａ２４）。そして、移行前携帯電話端末７０がユーザの操作を受けて受信した電子メールに含まれているＵＲＬに接続することで、フロントエンドサーバ装置１０のウェブ処理部１１は、データ保存完了メッセージをＨＴＴＰの応答として移行前携帯電話端末７０に送信し、移行前携帯電話端末７０は、受信したデータ保存完了メッセージを画面に表示する（ステップＳａ２５）。
【００４２】
ここで、上記のステップＳａ２５におけるフロントエンドサーバ装置１０のウェブ処理部１１によるデータ保存完了メッセージの生成について説明する。まず、フロントエンドサーバ装置１０のコード生成部１３は、状態監視部１２がバックエンドサーバ装置１０のＤＢ処理部２２の状態が「終了状態」であることを検出すると、移行前携帯電話端末７０のＵＩＤに基づいてバックエンドサーバ装置２０のＤＢ処理部２２を通じて、移行ＩＤと「コンテンツサーバ種別」に記憶される最初に移行処理を行ういずれか１つのコンテンツサーバ装置４０Ａ、４０Ｂ、…のサーバ識別情報を読み出し、読み出した移行ＩＤとサーバ識別情報と移行前携帯電話端末７０のＵＩＤとを対応付けてコード情報記憶部１４に記録する。ここで、最初に移行処理を行ういずれか１つのコンテンツサーバ装置４０Ａ、４０Ｂ、…のサーバ識別情報としては、例えば、バックエンドサーバ装置２０の移行サービス情報ＤＢ２３の当該移行ＩＤに対応する「コンテンツサーバ装置」の項目に記憶されるサーバ識別情報の中で、「移行状態」が「未移行」である最初に記憶されているサーバ識別情報等を適用することができる。
【００４３】
フロントエンドサーバ装置１０のウェブ処理部１１は、ステップＳａ２５の処理におけるデータ保存完了メッセージを含むウェブページを生成する際に、フロントエンドサーバ装置１０へのＵＲＬとデータ保存完了メッセージを示す情報とを含むリンク情報を含んだ構成でデータ保存完了メッセージを生成してデータ保存完了メッセージを含むウェブページを移行前携帯電話端末７０に送信する。
【００４４】
データ保存完了メッセージを受信した移行前携帯電話端末７０は、画面にデータ保存完了メッセージを表示し、ユーザが操作してデータ保存完了メッセージに含まれるリンク情報が選択されると、移行前携帯電話端末７０は、フロントエンドサーバ装置１０のウェブ処理部１１に接続し、その際に自端末のＵＩＤをフロントエンドサーバ装置１０のウェブ処理部１１に送信する。ウェブ処理部１１は、受信したＵＩＤをコード生成部１３に入力する。ＵＩＤが入力されるコード生成部１３は、コード情報記憶部１４からＵＩＤに対応付けられている移行ＩＤとサーバ識別情報とを読み出し、フロントエンドサーバ装置１０のＵＲＬに、読み出した移行ＩＤとサーバ識別情報とを暗号化した情報を付加したＵＲＬに基づいて２次元コードを生成し、生成した２次元コードを含むＨＴＴＰの応答を移行前携帯電話端末７０に送信する（ステップＳａ２６）。
【００４５】
２次元コードを含むＨＴＴＰの応答を受信した移行前携帯電話端末７０は、２次元コードを含む画面７３を表示し、ユーザの操作を受けて画面に表示される２次元コードを内部に記憶する（ステップＳａ２７）。
【００４６】
なお、上記の保存処理において、コード生成部１３により選択される最初に移行を行ういずれか１つのコンテンツサーバ装置４０Ａ、４０Ｂ、…は、バックエンドサーバ装置２０の移行サービス情報ＤＢ２３の当該移行ＩＤに対応する「コンテンツサーバ装置」の項目に記憶されるサーバ識別情報の中で、「移行状態」が「未移行」である最初に記憶されているサーバ識別情報を例として示したが、本発明は当該実施形態には限られず、例えば、移行前携帯電話端末７０にて直前に接続していたコンテンツサーバ装置のサーバ識別情報を、フロントエンドサーバ装置１０にて記憶しておき、当該コンテンツサーバ装置を最初に移行処理を行うコンテンツサーバ装置としてもよい。
【００４７】
次に、図６から図１０を参照しつつサービス提供システム１における移行処理の後段の処理であるサービス情報の登録処理について説明する。なお、以下の説明では、移行前携帯電話端末７０に通信事業者から付与されるＵＩＤを「０００１」とし、移行後携帯電話端末８０に通信事業者から付与されるＵＩＤを「０１００」とする。また、移行前携帯電話端末７０に対して行われた保存処理においてＩＤ生成部２１により生成された移行ＩＤを「ＡＢＡＢ」とし、バックエンドサーバ装置２０の移行サービス情報ＤＢ２３には、上記した図４に示す情報が記憶されているものとする。
【００４８】
最初に、ユーザは、移行前携帯電話端末７０を操作して、内部に記憶された２次元コードを移行前携帯電話端末７０の画面に表示させる。このとき、移行前携帯電話端末７０の画面には、図１に示した画面７１が表示され、当該画面７１には、上述した画面７３と同じ内容が表示される。次に、ユーザは、移行後携帯電話端末８０を操作して、カメラを通じて移行前携帯電話端末７０の画面に表示された２次元コードを撮影し、撮影した２次元コードに含まれるＵＲＬの検出を行う。そして、移行後携帯電話端末８０は、検出したＵＲＬを接続先としてネットワーク１００を通じて接続を行う（ステップＳｂ１）。ここで、当該接続の際に、移行後携帯電話端末８０は、自端末のＵＩＤ（０１００）と端末種別を示す情報（以下、端末種別Ｈと記載する）を含めて接続を行うものとする。
【００４９】
フロントエンドサーバ装置１０のウェブ処理部１１は、移行後携帯電話端末８０からの当該ＵＲＬの接続を検出すると、フロントエンドサーバ装置１０に付与されているＵＲＬの部分を削除し、削除後の情報を移行処理部１５に入力する。当該情報の入力を受けた移行処理部１５は、情報を復号して移行ＩＤとサーバ識別情報を検出する（ステップＳｂ２）。そして、移行処理部１５は、検出した移行ＩＤとサーバ識別情報に対応するサービス情報の移行状態を取得するため、バックエンドサーバ装置２０のＤＢ処理部２２に移行ＩＤとサーバ識別情報とを含む移行状態の検索要求を送信する。検索要求を受信するとバックエンドサーバ装置２０のＤＢ処理部２２は、検索要求に含まれる移行ＩＤとサーバ識別情報に対応する「移行状態」の項目の情報を検出し、検出した情報をフロントエンドサーバ装置１０の移行処理部１５に送信する（ステップＳｂ３）。
【００５０】
当該情報を受信した移行処理部１５は、当該情報が「移行済」あるか否か判定する（ステップＳｂ４）。「移行済」であると判定した場合、ウェブ処理部１１は、移行済であること示すメッセージをＨＴＴＰの応答として移行後携帯電話端末８０に送信し、移行後携帯電話端末８０は、受信した当該移行済であること示すメッセージを画面に表示する（ステップＳｂ５−１）。一方、「移行済」でない、すなわち「未移行」であると判定した場合、ウェブ処理部１１は、移行中であること示すメッセージをＨＴＴＰの応答として移行後携帯電話端末８０に送信し、移行後携帯電話端末８０は、受信した当該移行中であることを示すメッセージを画面に表示する（ステップＳｂ５−２）。またウェブ処理部１１が、移行中であることを示すメッセージをＨＴＴＰの応答として移行後携帯電話端末８０に送信する際に、移行処理部１５は、検出したサーバ識別情報に対応するコンテンツサーバ装置４０Ａ、４０Ｂ、…に対して、接続の際に移行後携帯電話端末８０から送信されたＵＩＤを含むコンテンツ入会要求を送信する。ここで、移行処理部１５により検出されたサーバ識別情報が「サーバＡ」であり、「サーバＡ」に対応するコンテンツサーバ装置４０Ａに対してコンテンツ入会要求が送信されたものとして以下の説明を行う。
【００５１】
コンテンツ入会要求を受信したコンテンツサーバ装置４０Ａのウェブ処理部４１Ａは、コンテンツ入会要求に含まれるＵＩＤを読み出し、読み出したＵＩＤを含むユーザ情報生成要求をユーザ情報管理サーバ装置３０に送信する。また、ウェブ処理部４１Ａは、ＤＢ処理部４２Ａに、読み出したＵＩＤを含むレコード生成要求を入力する（ステップＳｂ６）。ユーザ情報生成要求を受信したユーザ情報管理サーバ装置のＤＢ処理部３１は、図７に示すようにユーザ情報ＤＢ３２に「ユーザＩＤ」を「０１００」とするレコードを生成し、生成したレコードの「コンテンツサーバ種別」が「サーバＡ」の「契約状態」の項目に「入会」を記録する（ステップＳｂ７）。また、レコード生成要求が入力されるＤＢ処理部４２Ａは、図８に示すようにサービス情報ＤＢ４３Ａに、ユーザＩＤを「０１００」とするレコードを生成し、「端末情報」の項目に端末種別を示す情報、すなわち「端末種別Ｈ」を記録する（ステップＳｂ８）。
【００５２】
コンテンツサーバ装置４０ＡのＤＢ処理部４２Ａがレコードの生成が完了すると、ウェブ処理部４１Ａは、フロントエンドサーバ装置１０に対してコンテンツ入会要求応答を送信する。コンテンツ入会要求応答を受信したフロントエンドサーバ装置１０の移行処理部１５は、移行ＩＤ「ＡＢＡＢ」と「サーバＡ」のサーバ識別情報とを含む登録処理開始要求をバックエンドサーバ装置２０に送信する（ステップＳｂ９）。
【００５３】
登録処理開始要求を受信したバックエンドサーバ装置２０のＤＢ処理部２２は、状態を「登録中状態」に遷移させる（ステップＳｂ１０）。そして、ＤＢ処理部２２は、登録処理開始要求に含まれる移行ＩＤ「ＡＢＡＢ」と「サーバＡ」のサーバ識別情報を読み出し、読み出した移行ＩＤ「ＡＢＡＢ」と「サーバＡ」のサーバ識別情報に対応する移行サービス情報ＤＢ２３の「移行サービス情報記憶領域」にサービス情報が記憶されているか否かを判定する（ステップＳｂ１１）。サービス情報が記憶されていないと判定した場合、ＤＢ処理部２２は、サービス情報未保存のエラーを出力して処理履歴として記録し、処理を終了する（ステップＳｂ１２）。一方、サービス情報が記憶されていると判定した場合、ＤＢ処理部２２は、移行後携帯電話端末８０の「０１００」のＵＩＤと「サーバＡ」のサーバ識別情報とを含むコンテンツ入会状況取得要求をユーザ情報管理サーバ装置３０に送信する（ステップＳｂ１３）。
【００５４】
コンテンツ入会状況取得要求を受信したユーザ情報管理サーバ装置３０のＤＢ処理部３１は、コンテンツ入会状況取得要求から「０１００」のＵＩＤと「サーバＡ」のサーバ識別情報を読み出し、読み出した「０１００」のＵＩＤと「サーバＡ」のサーバ識別情報に対応する「契約状態」の項目に記憶される情報を読み出し、読み出した情報を含むコンテンツ入会状況取得要求応答をバックエンドサーバ装置２０に送信する（ステップＳｂ１４）。
【００５５】
コンテンツ入会状況取得要求応答を受信したＤＢ処理部２２は、コンテンツ入会状況取得要求応答に含まれる情報を読み出し（ステップＳｂ１５）、読み出した情報が「入会」であるか否かを判定する（ステップＳｂ１６）。読み出した情報が「入会」でない場合、ＤＢ処理部２２は、未入会のエラーを出力して処理履歴として記録し、処理を終了する（ステップＳｂ１７）。一方、読み出した情報が「入会」の場合、ＤＢ処理部２２は、「移行ＩＤ」が「ＡＢＡＢ」、「コンテンツサーバ種別」が「サーバＡ」に対応する「移行サービス情報記憶領域」に記憶されるサービス情報（サービス情報Ａ）を読み出し、読み出したサービス情報（サービス情報Ａ）とＵＩＤ「０１００」を含むサービス情報登録要求をコンテンツサーバ装置４０Ａに送信する（ステップＳｂ１８）。サービス情報登録要求を受信したコンテンツサーバ装置４０ＡのＤＢ処理部４２Ａは、サービス情報登録要求に含まれるサービス情報（サービス情報Ａ）とＵＩＤ「０１００」を読み出し、サービス情報ＤＢ４３Ａの「ユーザＩＤ」が「０１００」のレコードの「サービス情報記憶領域」に読み出したサービス情報（サービス情報Ａ）を書き込んで登録する（ステップＳｂ１９）。このとき、サービス情報ＤＢ４３Ａに記憶される情報は図９に示す構成となる。
【００５６】
コンテンツサーバ装置４０ＡのＤＢ処理部４２Ａは、サービス情報の登録が完了すると、「０１００」のＵＩＤと「サーバＡ」のサーバ識別情報とを含むサービス情報登録要求応答をバックエンドサーバ装置２０に送信する（ステップＳｂ２０）。サービス情報登録要求応答を受信したバックエンドサーバ装置２０のＤＢ処理部２２は、サービス情報登録要求応答から「０１００」のＵＩＤと「サーバＡ」のサーバ識別情報を読み出し、読み出したＵＩＤとサーバ識別情報に対応する移行サービス情報ＤＢ２３の「移行状態」の項目に「移行済」を記録する。このとき、移行サービス情報ＤＢ２３は図１０に示すデータ構成となる（ステップＳｂ２１）。次に、ＤＢ処理部２２は、状態を「終了状態」に遷移させて処理を終了する（ステップＳｂ２２）。
【００５７】
一方、移行後携帯電話端末８０は、ステップＳｂ５−２にてフロントエンドサーバ装置１０のウェブ処理部１１からメッセージを受信すると画面８１を表示する。画面８１を表示した後、登録処理の状態をユーザが確認する場合には、ユーザは、移行後携帯電話端末８０を操作して画面８１における「リロード」ボタンを選択すると、移行後携帯電話端末８０は、フロントエンドサーバ装置１０に再表示要求（リロード）を送信する（ステップＳｂ２５）。再表示要求を受信したフロントエンドサーバ装置１０のウェブ処理部１１は、状態監視部１２に状態情報の取得指示を入力し、当該入力を受けた状態監視部１２は、バックエンドサーバ装置２０のＤＢ処理部２２の状態情報を検出する（ステップＳｂ２６）。
【００５８】
状態監視部１２は、検出したバックエンドサーバ装置２０のＤＢ処理部２２の状態情報をウェブ処理部１１に入力する。ウェブ処理部１１は、状態監視部１２から入力された状態情報を判定する（ステップＳｂ２７）。状態情報が「登録中状態」を示していると判定した場合、データ登録処理中のメッセージをＨＴＴＰの応答として移行後携帯電話端末８０に送信し、移行後携帯電話端末８０は受信したデータ登録処理中のメッセージを画面に表示する（ステップＳｂ２８）。
【００５９】
既に、バックエンドサーバ装置２０にて、ステップＳｂ２２までの処理が行われており状態情報が［終了状態］を示していると判定した場合、データ登録完了メッセージをＨＴＴＰの応答として移行後携帯電話端末８０に送信し、移行後携帯電話端末８０は受信したデータ登録完了メッセージを画面に表示する（ステップＳｂ２９）。データ登録完了のメッセージを受信した移行後携帯電話端末８０は、画面８２を表示する。当該画面８２では、移行が完了したコンテンツサーバ装置４０Ａ、４０Ｂ、…については、「以下のデータが復活」というタイトルの下に、「コンテンツＡ」のように示され、移行が行われていないコンテンツサーバ装置４０Ｂ、…については、「以下のサイトもまだあるよ」というタイトルの下に、「コンテンツＢ」、「コンテンツＣ」、として表示される。
【００６０】
当該「コンテンツＢ」の文字には、リンク情報が設定されており、それぞれのリンク情報には、フロントエンドサーバ装置１０へのＵＲＬに、「コンテンツＢ」に対応するサーバ識別情報と移行ＩＤとが暗号化された情報が付加されて構成されたＵＲＬが設定されている。また、「コンテンツＣ」の文字についても同様に、フロントエンドサーバ装置１０へのＵＲＬに、「コンテンツＣ」に対応するサーバ識別情報と移行ＩＤとが暗号化された情報が付加されて構成されたＵＲＬが設定されている。ユーザが移行後携帯電話端末８０を操作してこれらのリンク情報を選択すると、ステップＳｂ２以降の処理が、それぞれに対応するコンテンツサーバ装置４０Ａ、４０Ｂ、…を対象として行われることになる。
【００６１】
上記の登録処理の終了後、ユーザが移行後携帯電話端末８０を操作して、コンテンツサーバ装置４０Ａ、４０Ｂ、…のサービス情報ＤＢ４３Ａ、４３Ｂ、…に記憶されるサービス情報に基づいて着信メロディ等のコンテンツのダウンロードを要求することになる。このとき、サービス情報ＤＢ４３Ａ、４３Ｂ、…には、既に移行後携帯電話端末８０の端末情報が記憶されているため、当該端末情報に記憶される端末種別の情報に応じた着信メロディ等のコンテンツがコンテンツサーバ装置４０Ａ、４０Ｂ、…より配信されることになる。
【００６２】
なお、上記の実施形態の構成において、更にセキュリティを高めるため、図５に示した保存処理のステップＳａ２５において、移行前携帯電話端末７０のユーザによりリンク情報が選択された際に、パスワードの入力を要求し、入力されたパスワードをＵＩＤと移行ＩＤとサーバ識別情報に対応付けてコード情報記憶部１４に記録しておくようにしてもよい。このとき、図６に示した登録処理のステップＳｂ２にてフロントエンドサーバ装置１０が移行後携帯電話端末８０の接続した際に、パスワードの入力を要求し、入力されるパスワードがコード情報記憶部１４の当該移行ＩＤに対応するパスワードと一致する場合にのみステップＳｂ３以降の処理を行う構成となる。
【００６３】
また、上記の実施形態の構成により、ユーザは、コンテンツ配信事業者のフロントエンドサーバ装置１０から移行に必要な情報を２次元コードとして受信することができるため、通知される情報をユーザが控えておき、移行後に手に入れた携帯電話端末を操作して１つずつ入力することなく容易にコンテンツ配信に関するサービス情報の移行処理を行うことが可能となる。これにより、移行前携帯電話端末７０にて購入したコンテンツを改めて購入に関する処理を行うことなくサービス情報に基づいてダウンロードすることで移行後携帯電話端末８０においても利用することが可能となる。また、移行前携帯電話端末７０にて付与されたポイント等の情報も移行後携帯電話端末８０にて利用することが可能となる。
【００６４】
また、上記の実施形態の構成において、画面８２にて、コンテンツＢやコンテンツＣなどの未移行のコンテンツについて移行処理が要求される際に、アンケートの入力を要求し、アンケートの入力に応じてポイントを加算したり、移行前携帯電話端末７０にて入会していた全てのコンテンツに移行後携帯電話端末８０においても入会した場合にポイントを加算して入会を促進するようにしてもよい。
【００６５】
また、上記の実施形態の構成では、移行対象として携帯電話端末を例にあげて説明したが、本発明は当該実施形態に限られず、例えば、パーソナルコンピュータ等などの端末装置などについても適用することが可能である。
【００６６】
本発明に記載の第１の端末装置は、移行前携帯電話端末７０に対応し、第２の端末装置は、移行後携帯電話端末８０に対応する。また、本発明に記載の識別情報は、ＵＩＤに対応し、移行識別情報は移行ＩＤに対応する。また、本発明のサーバ装置は、フロントエンドサーバ装置１０、バックエンドサーバ装置２０、コンテンツサーバ装置４０Ａ、４０Ｂ、…、ユーザ情報管理サーバ装置３０の機能を組み合わせた構成に対応し、受信手段及び接続検出手段は、ウェブ処理部１１に対応し、移行識別情報生成手段は、ＩＤ生成部２１に対応し、コード生成手段は、コード生成部１３に対応し、移行処理手段は、フロントエンドサーバ装置１０の移行処理部１５及びバックエンドサーバ装置２０のＤＢ処理部２２に対応する。また、本発明のサービス情報記憶手段は、コンテンツサーバ装置４０Ａ、４０Ｂ、…のサービス情報ＤＢ４３Ａ、４３Ｂ、…に対応し、移行サービス情報記憶手段は、移行サービス情報ＤＢ２３に対応し、記録手段は、バックエンドサーバ装置２０のＤＢ処理部２２に対応する。
【００６７】
上述のフロントエンドサーバ装置１０、バックエンドサーバ装置２０、コンテンツサーバ装置４０Ａ、４０Ｂ、…、ユーザ情報管理サーバ装置３０は内部に、コンピュータシステムを有している。そして、上述した移行処理に係る保存処理及び登録処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００６８】
【図１】本実施形態におけるサービス提供システムを示すブロック図である。
【図２】同実施形態におけるサービス情報ＤＢのデータ構成を示した図である。
【図３】同実施形態におけるユーザ情報ＤＢのデータ構成を示した図である。
【図４】同実施形態における移行サービス情報ＤＢのデータ構成を示した図である。
【図５】同実施形態における移行処理の保存処理を示したフローチャートである。
【図６】同実施形態における移行処理の登録処理を示したフローチャートである。
【図７】同実施形態における登録処理にて参照されるユーザ情報ＤＢのデータ構成を示した図である。
【図８】同実施形態における入会処理時のサービス情報ＤＢのデータ構成を示した図である。
【図９】同実施形態におけるサービス情報登録後のサービス情報ＤＢのデータ構成を示した図である。
【図１０】同実施形態における登録処理時の移行サービス情報ＤＢのデータ構成を示した図である。
【符号の説明】
【００６９】
１０  フロントエンドサーバ装置
１１  ウェブ処理部
１２  状態監視部
１３  コード生成部
１４  コード情報記憶部
１５  移行処理部
２０  バックエンドサーバ装置
２１  ＩＤ生成部
２２  ＤＢ処理部
２３  移行サービス情報ＤＢ
７０  移行前携帯電話端末
８０  移行後携帯電話端末
１００  ネットワーク
【図１】
2008067098.tif 000003
【図２】
2008067098.tif 000004
【図３】
2008067098.tif 000005
【図４】
2008067098.tif 000006
【図５】
2008067098.tif 000007
【図６】
2008067098.tif 000008
【図７】
2008067098.tif 000009
【図８】
2008067098.tif 000010
【図９】
2008067098.tif 000011
【図１０】
2008067098.tif 000012